(57)【要約】【課題】  撮像データを表示する液晶パネルを裏面より照明するバックライトと、カメラの設定情報を表示する液晶パネルを裏面より証明するバックライトの両方を具備すると、回路が増大する。【解決手段】  複数の液晶表示器に対して単一の光源からなる照明手段を有し、この照明手段の光路を、電子機器の動作モードを設定する操作部材の操作に応じて切換える。【選択図】  図２
2005173225.tif 000002
【特許請求の範囲】
【請求項１】
電子機器の外観面に配設され、表示内容が観察可能な複数の液晶表示器と、前記複数の液晶表示器を照明する単一の光源と、前記複数の液晶表示器各々に対して前記光源から照射される光路を選択的に切換え可能な照明光路切換え手段と前記電子機器の動作モードを設定するための操作部材を備え、前記操作部材の操作に応じて、前記照明光路切換え手段の切換え動作を行うことを特徴とする液晶表示装置付き電子機器。
【請求項２】
前記電子機器の動作モードを設定するための操作部材の変移に連動して、前記光源が点灯されることを特徴とする請求項１記載の電子機器。
【請求項３】
前記複数の液晶表示器は、前記電子機器の外観面において同一面に2つ以上並べて配置され、前記光源は液晶表示器の相互が最も接近した一辺の近傍に配置したことを特徴とする請求項１記載の電子機器。
【請求項４】
前記複数の液晶表示器は、前記電子機器の外観面において異なる面に各々が配置され、それらの面の交線近傍にその照明光源を配置したことを特徴とする請求項１記載の電子機器。
【請求項５】
被写体像を電気信号に変換する撮像手段を備えたデジタルカメラにおいて、カメラの外観面に配設された複数の液晶表示器と、前記複数の液晶表示器を照明する単一の光源と、前記複数の液晶表示器各々に対して前記光源から照射される光路を選択的に切換え可能な照明光路切換え手段とを備え、カメラの動作モードを変更するための操作部材に連動して、前記照明光路切換え手段の切換え動作を行うことを特徴とするデジタルカメラ。
【請求項６】
被写体像を電気信号に変換する撮像手段を備えたデジタルカメラにおいて、カメラの外観面に配設された複数の液晶表示器と、前記複数の液晶表示器を照明する単一の光源と、前記複数の液晶表示器各々に対して前記光源から照射される光路を選択的に切換え可能な照明光路切換え手段とを備え、カメラの動作状態に応じて、前記照明光路切換え手段の作用により光路が変移することを特徴とするデジタルカメラ。
【請求項７】
前記複数の液晶表示器のうち、少なくとも一つは画像表示可能なドットマトリクス液晶表示器で構成されることを特徴とする請求項４あるいは５記載のデジタルカメラ。
【請求項８】
前記複数の液晶表示器のうち、少なくとも一つは固定パターンが形成されたセグメントを有する液晶表示器で構成されることを特徴とする請求項４あるいは５記載のデジタルカメラ。
【請求項９】
ヒンジ軸を回転中心として開閉可能な部材に液晶表示器を備えた電子機器において、前記液晶表示器の表示画面が観察できる面と異なる面に配設された液晶表示器と、それぞれ二つの液晶表示器を照明可能な単一の光源と、前記二つの液晶表示器各々に対して前記光源から照射される光路を選択的に切換え可能な照明光路切換え手段とを備え、開閉可能な部材の位置変化に応じて、前記照明光路切換え手段の作用により光路が変移することを特徴とする液晶表示装置付き電子機器。
【発明の詳細な説明】
【技術分野】
【０００１】
本発明は、液晶表示器の背面から照明する光源を含む液晶表示装置付き電子機器、詳しくは、デジタル画像データを圧縮処理して記録媒体に記録するデジタルスチルカメラあるいは携帯電話等に搭載される液晶表示器の照明構造に関するものである。
【背景技術】
【０００２】
撮影レンズから入射された被写体像をCCD等の撮像素子により光電変換し、この光電変換された画像信号をA/D変換して記録媒体に記録し、更に内蔵の液晶モニタで画像の表示が可能な電子カメラが従来から一般的に知られている（例えば、特許文献１参照）。このようなカメラに内蔵された液晶モニタは、ドットマトリクス液晶が用いられており、高精細な画像を表示可能としている。このような液晶表示器には、通常液晶パネルを裏面より照明する光源、いわゆるバックライトを備えており、液晶モニタ上に画像や文字を表示する時に点灯されるようになっている。
【０００３】
又、一方 銀塩フィルムカメラにおいても搭載されているカメラの設定状況を表示するための外部液晶表示パネルを有するカメラは公知である。前述したデジタルカメラにおいては、画像表示用液晶モニタと独立してカメラの設定状況を表示するための外部液晶表示パネルを個々に搭載したカメラも数多く存在している（例えば、特許文献２参照）。
【０００４】
上記のような外部液晶表示パネルには、例えば撮影モードがシャッタースピード優先ＡＥなのか絞り優先ＡＥなのか或いは露出をマニュアル設定するモードなのかといった露出に関する撮影モードや、連写か単写かの撮影動作に関するモードなどユーザーがカメラに設定している情報や、その他、バッテリ電池容量の残量や撮影可能コマ数などカメラからユーザーへ通知すべき情報を、カメラのメインスイッチがＯＮされた状態で表示されるようになっている。従って、ユーザーはいつでもすぐにカメラに設定した状態を知ることができる。
【０００５】
しかし、このような外部液晶パネルは、通常消費電力を抑える目的から反射タイプのＳＴＮ液晶を使用しており、日中の明るい場所であれば何の問題も無く表示内容が視認可能であるが、暗いところでは表示内容が見えないという問題を抱えている。
【０００６】
そこで、このようなカメラの設定情報を表示する液晶を半透過タイプの液晶として、専用のバックライトを備えて照明することにより、暗い場所でも表示内容が視認できるようにしたカメラも存在している。
【特許文献１】特開２０００−２０６６３０号公報
【特許文献２】特開２０００−３２１４８７号公報
【発明の開示】
【発明が解決しようとする課題】
【０００７】
しかしながら、前述したようにデジタルカメラでは、撮影した画像を表示する液晶モニタを備えているため、この液晶パネルを裏面より照明するバックライトを備えながら、更にカメラの設定情報を表示する液晶にも専用のバックライトを備えることになり、点灯回路も各々のバックライトに対して必要となって製品コストの増大を招いていた。
【０００８】
そこで、本発明は、複数の液晶表示器を備えた電子機器において、コストを増大させることなくいずれの液晶表示器に対しても常に表示内容が視認しやすい液晶表示装置を提供すること、具体的一例として、画像を表示する液晶モニタを備えたデジタルカメラにおいてもコストを増大させること無く他の液晶表示器即ちカメラの設定情報を表示するような液晶パネルに対しても暗い場所でも表示内容が視認できるようにしたデジタルカメラを提供することを目的とする。更に、カメラの動作状態やカメラに設定する動作モード即ち撮影モードか画像再生モードかといったモードの違いに合わせて照明すべき液晶表示器が自動的に選択される使い易いカメラを提供することを目的とする。
【課題を解決するための手段】
【０００９】
上記目的を達成するために、請求項１に記載の本発明は、電子機器の外観面に配設され、表示内容が観察可能な複数の液晶表示器と、前記複数の液晶表示器を照明する単一の光源と、前記複数の液晶表示器各々に対して前記光源から照射される光路を選択的に切換え可能な照明光路切換え手段と前記電子機器の動作モードを設定するための操作部材を備え、前記操作部材の操作に応じて、前記照明光路切換え手段の切換え動作を行うことを特徴とする。
【００１０】
更に、請求項５に記載の本発明は、被写体像を電気信号に変換する撮像手段を備えたデジタルカメラにおいて、カメラの外観面に配設された複数の液晶表示器と、前記複数の液晶表示器を照明する単一の光源と、前記複数の液晶表示器各々に対して前記光源から照射される光路を選択的に切換え可能な照明光路切換え手段とを備え、カメラの動作モードを変更するための操作部材に連動して、前記照明光路切換え手段の切換え動作を行うことを特徴とする。
【００１１】
更に、請求項６に記載の本発明は、被写体像を電気信号に変換する撮像手段を備えたデジタルカメラにおいて、カメラの外観面に配設された複数の液晶表示器と、前記複数の液晶表示器を照明する単一の光源と、前記複数の液晶表示器各々に対して前記光源から照射される光路を選択的に切換え可能な照明光路切換え手段とを備え、カメラの動作状態に応じて、前記照明光路切換え手段の作用により光路が変移することを特徴とする。
【００１２】
更に、請求項９に記載の本発明は、ヒンジ軸を回転中心として開閉可能な部材に液晶表示器を備えた電子機器において、前記液晶表示器の表示画面が観察できる面と異なる面に配設された液晶表示器と、それぞれ二つの液晶表示器を照明可能な単一の光源と、前記二つの液晶表示器各々に対して前記光源から照射される光路を選択的に切換え可能な照明光路切換え手段とを備え、開閉可能な部材の位置変化に応じて、前記照明光路切換え手段の作用により光路が変移することを特徴とする。
【００１３】
これにより、暗い場所でも単一の光源だけで、機器の外観面に配設された複数の液晶表示器に対して照明光路を選択的に切換えられるので、電子機器の製造コストを安価に抑えながらも液晶表示画面の視認性を向上させることができる。
【００１４】
又、デジタルカメラにおいては、使用者が選択するカメラの動作モードが撮影を行うためのモードなのか画像再生を行うためのモードなのかあるいはカメラの動作状態が撮影前の準備状態にあるのか否かに応じて外観面に配設された複数の液晶表示器の中から照明すべき液晶表示器が自動的に選択されすぐに照明できるので、カメラのコストを安価に抑えながらも使い易さを損なうことなく液晶表示画面の視認性を向上させることができる。
【００１５】
更には、デジタルカメラや携帯電話などに採用されているヒンジ軸を回転中心として開閉可能な部材に液晶表示器を備えた電子機器においては、前記部材が開位置にある場合と閉位置にある場合と位置の変化に応じて、複数の液晶表示器の中から照明すべき液晶表示器が自動的に選択されるので、電子機器のコストを安価に抑えながらも簡単な操作で常に見易い液晶表示器を観察することができる。
【発明の効果】
【００１６】
本出願に係る発明によれば、暗い場所でも単一の光源だけで、機器の外観面に配設された複数の液晶表示器に対して照明光路を選択的に切換えられるので、電子機器の製造コストを安価に抑えながらも液晶表示画面の視認性を向上させることができる。
【００１７】
又、デジタルカメラにおいては、使用者が選択するカメラの動作モードが撮影を行うためのモードなのか画像再生を行うためのモードなのかあるいはカメラの動作状態が撮影前の準備状態にあるのか否かに応じて外観面に配設された複数の液晶表示器の中から照明すべき液晶表示器が自動的に選択されすぐに照明できるので、カメラのコストを安価に抑えながらも使い易さを損なうことなく液晶表示画面の視認性を向上させることができる。
【００１８】
更には、デジタルカメラや携帯電話などに採用されているヒンジ軸を回転中心として開閉可能な部材に液晶表示器を備えた電子機器においては、前記部材が開位置にある場合と閉位置にある場合と位置の変化に応じて、複数の液晶表示器の中から照明すべき液晶表示器が自動的に選択されるので、電子機器のコストを安価に抑えながらも簡単な操作で常に見易い液晶表示器を観察することができる。
【発明を実施するための最良の形態】
【００１９】
以下、本発明の実施の形態について図面を用いて詳細に説明する。
【００２０】
図１は本発明を適用したデジタルカメラを背面側よりみた外観斜視図である。
【００２１】
カメラ1の上面には、撮影動作を開始するレリーズボタン２とカメラの動作モードを決定する回転式モードダイヤル３が配置されている。モードダイヤル３の上面には、図に示すようにＭ、Ａｖ、Ｔｖ、Ｐが描かれており、それぞれマニュアル撮影モード、絞り優先モード、シャッタースピード優先モード、プログラムモードの中から撮影モードを選択できるようになっている。又、モードダイヤル３の中心部にはメインスイッチボタン３ａが設けられており、このメインスイッチボタン３ａの押し込みによって、カメラの電源が起動し、再度の押し込みで電源が落とされるようになっている。
【００２２】
カメラ１の背面中央部には、固定パターンが形成されたセグメントを有するSTN液晶からなる情報表示用液晶パネル４と、ドットマトリクス液晶からなる画像表示用液晶パネル５とが配置され、それぞれに液晶パネルを保護する透明窓４ａと５ａが外観部品として設けられている。更に、カメラ１の背面には、ファインダー接眼部６が設けられ、画像表示用液晶パネル５の保護窓５ａに隣接して操作ボタン７が配置されている。７ａ、７ｂはバックライト照明の点灯用ボタンで、７ｃと７ｄは再生画像の送りや戻しをするための表示制御ボタンである。又、情報表示用液晶パネル４の右横には切換え操作ツマミ８が配置され、カメラ内部には切換え操作ツマミ８の位置を検出するモード検出スイッチ９が設けられている。
【００２３】
カメラ１の右側面から背面に回りこむ形で、記録カード蓋10が設けられ、この蓋を開けることにより、外部記録媒体としてのＣＦカード（図示せず）をカメラに対して着脱可能となっている。
【００２４】
図２は図１における断面指示Ａ−Ａに従った縦断面図で、画像表示用液晶パネル５が照明された状態を示す図であり、図３は同縦断面図で、情報表示用液晶パネル４が照明された状態を示す図である。
【００２５】
図２及び図３において、11は撮像用レンズでレンズ枠11ａに保持されている。12はＣＣＤ等の撮像素子で、被写体像は撮像用レンズ11を通って撮像素子12上に結像する構成である。
【００２６】
13は、撮像素子12を保持する撮像素子保持板で、背面側には撮像素子12のリード端子が接続されたフレキシブルプリント基板14を抱えている。15はメインマイコン15ａを搭載した回路基板で、カメラ全体の制御をつかさどる制御回路や画像表示用液晶パネル５へ画像を表示する為の出力回路等を備える基板である。
16は液晶パネルを照明するための光源である。17は光源より発せられる光を集光する反射笠で、回動可能に保持されており、反射笠の開口部の向きによって光の照射方向が決定される。18は画像表示用液晶パネル５に重ねて配置されたの導光板で、画像表示用液晶パネル５の有効表示領域よりやや広い面積を有している。19は情報表示用液晶パネル４に重ねて配置されたの導光板で、情報表示用液晶パネル４の有効表示領域よりやや広い面積を有している。それぞれの導光板はくさび形状となっており、光源16からの照射光を各々の液晶パネルの面直角方向へ光を出射するようになっている。
【００２７】
光源16の位置は、光量ロスを抑えるためにも、図２及び図３に示すように画像表示用液晶パネル５と情報表示用液晶パネル４の相互が最も接近した一辺の近傍に配置されることが望ましい。
【００２８】
図４は本発明を適用したデジタルカメラの基本構成を示すブロック図である。本実施例で説明するデジタルカメラは、映像出力信号が内蔵液晶モニタに送られ、モニタ上の画面に撮影された画像を再生できるように構成されている。
【００２９】
図４において、101は撮像用レンズ（図２、図３で説明した11に相当する）、102はＣＣＤ等の撮像素子である（図２、図３で説明した12に相当する）。
【００３０】
103は測光用レンズ、104はＳＰＣ等の測光センサである。105は絞り、106はシャッタで両者の動作によって撮像素子102への露光量が決定される。107は撮像回路で撮像素子12の出力信号をサンプリングし、撮像信号をA/D変換すると共に増幅する。108は画像処理回路でホワイトバランス、露出調整、γ補正等 撮像素子102から出力されるＲ，Ｇ，Ｂ各色の画像信号に所定の処理を施す回路である。109はメモリ制御回路、110は画像データを一時的に記録するバッファとして作用する内部メモリで、110ａ、110ｂ、110ｃのようにメモリ領域が分けられていて、所定枚数の静止画像を格納できる記憶容量を有するものである。メモリ制御回路109では、内部メモリ110内のデータ管理即ち110ａ、110ｂ、110ｃのうちどのメモリ領域へデータを格納するか、又格納済みのデータをどこから取り出すかの指示をするとともに、画像データの間引き処理や間引き処理後の画像データのアドレス制御等を施す。
【００３１】
111は画像出力回路であり、メモリ制御回路109を介して得た画像のデジタル信号をアナログ信号に変換するとともに、画像表示用の液晶モニタ112への出力バッファである。この液晶モニタ112は、先に説明した画像表示用液晶パネル５に相当する。113は画像記録回路で、CFカード等の着脱可能な外部記録媒体114へ内部メモリ110から画像データを記録するためのデータ入出力インターフェイスである。115は全体のシーケンスを司るマイコン15ａ等を含むメイン制御回路で、各スイッチの状態検出、撮像及び画像再生・記録に係る構成部材の駆動を制御する。115ａはカメラの撮影モードの設定状態、電源状態、撮影可能コマ数などの表示を指示する表示駆動部である。116は表示駆動部115ａによる指示に基づいて絵文字や７セグメントで作られる数値を表示する液晶表示器である。この液晶表示器116は、先に説明した情報表示用液晶パネル４に相当する。117は光源駆動回路、118は蛍光管やＬＥＤからなる光源で、先の画像表示用モニタ112や液晶表示器116を背面より照明するためのものである（図２、図３で説明した16に相当する）。119は操作部でユーザーの本カメラに対する各種コマンドを入力する部位である。図１において説明した撮影動作を開始するためのレリーズボタン２、モードダイヤル３、カメラを起動するメインスイッチボタン３ａ、操作ボタン７、切換え操作ツマミ８を含むものである。120はモード検出スイッチ（図1で説明した９に相当する）で、メイン制御回路115により常に監視される。
【００３２】
次に、前述のように構成されたカメラの作用について説明する。（図５のフローチャートを参照）
切換え操作ツマミ８の操作用突起部８ａが上方にある場合は、図３に示すように、反射笠17の開口が上方にあって、光源17からの照射光は上方へ集光され、導光板19へ入射してくさび形状の効果により情報表示用液晶パネル４を裏面より照明可能な状態となっている。
【００３３】
この時、切換え操作ツマミ８の内部突起８ｂは、検出スイッチ９の接片より離れており、検出スイッチ９はＯＦＦ状態となっている。
【００３４】
カメラのメインスイッチが投入され、カメラが起動すると、メイン制御回路115は検出スイッチ９の状態を常にチェックする。（Ｓ101〜Ｓ102）
検出スイッチ９の検出結果からＯＦＦを検出すると、現状のカメラに設定されているモード状態は、撮影モードであることが判断される。（Ｓ103）
ここで、使用者がレリーズボタン２を押し込むと一連の撮影動作が開始される。（Ｓ104〜Ｓ105）
撮影前の待機状態において、操作ボタン７ａを押し込むと、光源17（118）が点灯して、情報表示用液晶パネル４は裏面より照明される。（Ｓ106〜Ｓ107）
次に、切換え操作ツマミ８の操作用突起部８ａを下方へ操作すると、切換え操作ツマミ８の内部突起８ｂは、検出スイッチ９の接片を押し上げて、検出スイッチ９はＯＮ状態となる。切換え操作ツマミ８の動きに連動して、反射笠17は180度回転して反射笠17の開口は下方に向き、図２に示すように光源17からの照射光は下方へ集光され、導光板18へ入射してくさび形状の効果により画像表示用液晶パネル５を裏面より照明可能な状態となる。
【００３５】
検出スイッチ９の検出結果からＯＮを検出すると、現状のカメラに設定されているモード状態は、画像再生モードであることが判断される。（Ｓ102、Ｓ108）
ここで、使用者が操作ボタン７ｂを押し込むことによって画像出力回路111が作用し、液晶パネル５が駆動されるとともに光源17（118）が点灯して、画像が表示される。（Ｓ109〜Ｓ110）
画像再生モードにした場合の点灯起動については、使用者が操作ボタン７ｂを押し込むのではなく、前記切換え操作ツマミ８の操作だけで画像出力回路111が作用して、液晶パネル５が駆動されるとともに光源17の点灯が起動されるものでも良い。
【００３６】
このように、ひとつの光源17の照射で二つの液晶パネルを照明することができ、二つ分のバックライトを一つの光源で構成できるので、光源駆動回路の削減も含めてコストを抑えることに大きく寄与している。同時に、モードの変更に応じて反射笠開口の切換え即ち照明可能な液晶パネルが自動的に設定されることになるので、煩わしい操作が必要なく操作性の良いカメラが構成される。
【００３７】
上記実施例において、切換え操作ツマミ８の動きに連動して反射笠17が回転する事に関しては、切換え操作ツマミ８と反射笠17がメカ的にギア等によって連結されたものに限らず、切換え操作ツマミ８の位置を検出している検出スイッチ９の状態変化からモーター等の別駆動源より回転されるといった電気信号を介在した連動であっても良い。
【００３８】
（第２実施例）
次に本発明を適用したデジタルカメラの第２の実施例について、図６乃至図８を用いて説明する。図１〜図３と同じ構成部材は同符号を用い、構成についての説明は省略する。
【００３９】
図６は図１における断面指示Ａ−Ａに従った縦断面図で、画像表示用液晶パネル５が照明された状態を示す図であり、図７は同縦断面図で、情報表示用液晶パネル４が照明された状態を示す図である。図８は同縦断面図で、情報表示用液晶パネル４と画像表示用液晶パネル５の両方が照明された状態を示す図である。
【００４０】
第1の実施例と異なる構成部材は、20のプリズムで、回転軸20ａを中心に回動可能に保持されている。又、第2実施例における反射笠17は回転せずに固定されたものとなっている。従って、照明光の光路切換えはプリズム20の回転で達成され、プリズム20の姿勢に応じて最終的な光の照射方向が決定される。
【００４１】
図６に示すプリズム20の位置では、光源16から出射した光は反射笠17の作用によりカメラ後方へ向かって集光され、プリズム20に入射した光は第1面20ｂにおいて反射されて下方に向かい、導光板19へ入射してくさび形状の効果により画像表示用液晶パネル５を裏面より照明する状態となっている。
【００４２】
図７に示すプリズム20の位置では、同様に光源16から出射した光は反射笠17の作用によりカメラ後方へ向かって集光され、プリズム20に入射した光は第1面20ｂにおいて反射されて上方に向かい、導光板18へ入射してくさび形状の効果により情報表示用液晶パネル４を裏面より照明する状態となっている。
【００４３】
図８に示すプリズム20の位置では、同様に光源16から出射した光は反射笠17の作用により集光されてカメラ後方へ向かい、プリズム20に入射せずに、第2面20ｃに反射されて下方に向かう光と第3面20ｄに反射されて上方に向かう光とに分離される。分離された光はそれぞれ導光板18及び導光板19へ入射してくさび形状の効果により画像表示用液晶パネル５及び情報表示用液晶パネル４の両方を同時に裏面より照明する状態となっている。
【００４４】
プリズム20の回転は、第1実施例と同様に図１で説明した切換え操作ツマミ８の操作に連動する。
【００４５】
図６の状態は、画像再生モードに設定した場合であり、図７と図８はいずれも撮影モードに設定した場合であるが、図７の状態では、接眼部６より光学ファインダーを覗くことによってのみ被写体を観察することができる場合の撮影モードで、図８の状態では、バックライト照明された画像表示用液晶パネル５を見て被写体を観察することも可能にした撮影モードである。
【００４６】
このように、ひとつの光源17の照射で二つの液晶パネルに対して光路を切換えて各々を照明するだけでなく、同時に二つの液晶パネルを照明することも可能としたので、コストを抑えて高機能を達成した操作性の良いカメラが構成される。
【００４７】
（第３実施例）
次に本発明を適用したデジタルカメラの第３の実施例について、図９乃至図12を用いて説明する。図１〜図３と同じ構成部材は同符号を用い、構成についての説明は省略する。
【００４８】
図９は本発明の第３実施例を適用したデジタルカメラを背面側よりみた外観斜視図である。
【００４９】
図10は図９における断面指示Ｂ−Ｂに従った縦断面図で、画像表示用液晶パネル５が照明された状態を示す図であり、図11は同縦断面図で、情報表示用液晶パネル４が照明された状態を示す図である。
【００５０】
第1の実施例と異なり、カメラの上面に情報表示用液晶パネル４を配置しているとともに、情報表示用液晶パネル４をバックライト照明する時に操作する点灯用ボタン７ａもカメラ上面に配置している。画像表示用液晶パネル５は第1実施例と同様にカメラの背面に配置され、操作ボタン７ｅ、７ｆ、７ｇは画像表示用液晶パネル５の下方に隣接して配置されている。操作ボタン７ｅは撮影済みの画像を表示する時の起動ボタン、操作ボタン７ｆは画像に付帯した情報を表示する場合の情報読出しボタン、７ｇはカメラの動作内容を詳細に設定できる各種メニューを表示するためのメニュー表示ボタンであり、それぞれに画像表示用液晶パネル５への表示に関わった異なる機能が割付けられている。
【００５１】
光源16と反射笠17は、情報表示用液晶パネル４が配置されたカメラ上面と画像表示用液晶パネル５が配置されたカメラ背面とが交差する交線近傍に配置されている。このような配置であれば、画像表示用液晶パネル５と情報表示用液晶パネル４の相互が最も接近しており光量ロスを抑えられ、且つ光路の切換えにも適している。
【００５２】
又、第1実施例で説明したものと異なったカメラのメインスイッチや再生モード切換えを兼ね備えたタイプのモードダイヤル30を上面右側に配置している。
【００５３】
先に図12を用いてモードダイヤル30について詳しく説明する。
【００５４】
モードダイヤル30の上面には、図12に示すようにＭ、Ａｖ、Ｔｖ、Ｐ、ＯＦＦ、枠に囲まれた▽マークが描かれており、カメラの上面に印刷された指標３ｂに各絵文字を合わせる事により、カメラの動作モードを決定する。
【００５５】
ＯＦＦの位置（30ａ）をセットした状態では、カメラのメイン電源がＯＦＦされる。Ｍ、Ａｖ、Ｔｖ、Ｐのいずれかの位置（30ｂ）をセットした状態においてはカメラのメイン電源がＯＮされ、それぞれマニュアル撮影モード、絞り優先モード、シャッタースピード優先モード、プログラムモードでの撮影可能な待機状態即ち撮影モードに設定されたことになる。
【００５６】
▽マークの位置（30ｃ）をセットした状態では、画像再生モードとなり、この時にカメラのメイン電源がＯＮされて、撮影済みの画像を画像表示用液晶パネル５に表示する。
【００５７】
モードダイヤル30には、一体的に回転する摺動接片（図示せず）が備えられ、摺動接片とカメラ内に固定されたコードパターンを形成した基板（図示せず）との組み合わせから、設定された位置がどのモードであるかを検出できるようになっている。
【００５８】
次に上記モードダイヤル30の設定位置に連動する光路切換え動作について説明する。
【００５９】
第1実施例と同様に反射笠17は回動可能に保持されており、90度回転位置を変更して、反射笠の開口部の向きによって光の照射方向が決定されるように構成されている。
【００６０】
モードダイヤル30がＯＦＦの位置（30ａ）からＭ、Ａｖ、Ｔｖ、Ｐのいずれかの位置（30ｂ）にセットされると、カメラのメイン電源がＯＮされ、反射笠17は図11に示すようにカメラ前方へ開口を向けた位置になる。従って、光源16からの照射光は前方へ集光され、導光板19へ入射してくさび形状の効果により情報表示用液晶パネル４を裏面より照明可能な状態となる。
【００６１】
このような撮影前の待機状態において、操作ボタン７ａを押し込むと、光源17が点灯して、情報表示用液晶パネル４は裏面より照明される。
【００６２】
モードダイヤル30が▽マークの位置（30ｃ）にセットされると、撮影モードに設定した場合と同様にカメラのメイン電源がＯＮされて、反射笠17は図10に示すようにカメラ下方へ開口を向けた位置になる。従って、光源16からの照射光は下方へ集光され、導光板18へ入射してくさび形状の効果により画像表示用液晶パネル５を裏面より照明可能な状態となる。
【００６３】
このような再生モードにおいて、操作ボタン７ｅを押し込むと、光源17が点灯して、情報表示用液晶パネル４は裏面より照明される。
【００６４】
上記実施例における、モードダイヤル30の回転動作に連動して反射笠17が回転する事に関しては、モードダイヤル30と反射笠17がメカ的にギア等によって連結されたものに限らず、モードダイヤル30の位置を検出してモーター等の別駆動源より回転されるといった電気信号を介在した連動であっても良い。
【００６５】
又、モードダイヤル30を▽マーク位置の再生モードにセットするだけで、画像出力回路111が作用して、液晶パネル５が駆動されるとともに光源17が点灯して画像をすぐに表示するような構成であっても良い。
【００６６】
（第４実施例）
次に本発明を適用したデジタルカメラの第4の実施例について、図13のフローチャートを用いて説明する。第1実施例では切換え操作ツマミにより、撮影モードか再生モードかを予め選択できるカメラについて説明したが、第4の実施例ではこのようなモードを切換える操作部材がないカメラであって、通常は撮影モードとなっており、操作ボタン７ｂに画像再生ボタンを割り当てたカメラである。その他の構成部品は第1実施例と同様で、第1実施例で説明した図４の基本構成を示すブロック図に基づいて一般的な撮影動作に沿って説明する。
【００６７】
デジタルカメラのメイン電源スイッチ３ａのＯＮにより、撮影可能な状態 即ち次の操作の待機状態となる。（Ｓ201）
この後、メイン制御回路115はレリーズボタン２の押し込みに連動するスイッチの変化を常時監視する。（Ｓ202）
そして撮影準備として、レリーズボタン２の前段ストロークでのＳＷ１がＯＮされたり、シャッタースピードの変更等、撮影条件を変更するための操作を受け付けると反射笠17は情報表示用液晶パネル４を照明できるよう上向きに自動的にセットされる。（Ｓ203）（図３の状態と同じ）
ここで仮に操作ボタン７ａが押された場合は、光源17（118）がすぐに点灯して、情報表示用液晶パネル４は裏面より照明される。
【００６８】
そして、レリーズボタン２が押し込まれるとボタンの前段ストロークでＳＷ１がＯＮされ、測光センサ４が被写体光量を検出して測光値データが出力されるとメイン制御回路115のマイコンで適正露光量が演算される。引き続きレリーズボタン２の後段ストロークでＳＷ２がＯＮされると、前記適正露光量に対して撮影者の意図する露出補正を反映させて絞り105とシャッタ106を動作させ、撮像素子102への露光動作を行う。（Ｓ204〜Ｓ207）
前記露光動作に従って、撮像素子102の出力信号を撮像回路107でサンプリング、増幅し、画像処理回路108で所定の画像データを形成し、メモリ制御回路109を介して内部メモリ110に画像データを格納する。（Ｓ208）
再度レリーズボタン２で押込まれるスイッチの状態を検出して（Ｓ209）、引き続きレリーズボタン２の後段ストロークＳＷ２がＯＮされたままである時は連続撮影のモードであると判断して、画像記録回路113へのデータ転送を行わずにすぐに再び露光動作に移行する。
【００６９】
そして、レリーズボタン２の後段ストロークＳＷ２のＯＦＦを検出した時に連続撮影が終了したと判断し、内部メモリ110より順次 画像記録回路113を介して外部記録媒体114へ画像データの記録を開始する。（Ｓ210）
ここまでの露光動作が終了すると、次は、撮影した画像を確認するための画像再生が行われることを予測して、反射笠17は、画像表示用液晶パネル５を照明するよう下向きに自動的に向きを変更される。（Ｓ211）（図２の状態と同じ）
ここで、仮に操作ボタン７ｂが押された場合は、画像出力回路111を介して画像表示用液晶パネル５（112）へ画像データを転送すると伴に、光源17（118）がすぐに点灯して、画像表示用液晶パネル５は裏面より照明される。
【００７０】
メイン制御回路115は次のレリーズボタン２の押し込みに連動するスイッチの変化を常時監視する待機態勢に戻る。（Ｓ212）
このように、ひとつの光源17の照射で二つの液晶パネルを照明することができてコストの増大を抑えることが可能となるだけでなく、カメラの動作状態に応じて反射笠開口の切換え即ち照明可能な液晶パネルが自動的に設定されることになるので、煩わしい操作が必要なく操作性の良いカメラが構成される。
【００７１】
（第５実施例）
次に本発明を適用したデジタルカメラの第５の実施例について、図14乃至図16を用いて説明する。図１〜図３と同じ構成部材は同符号を用い、構成についての説明は省略する。
【００７２】
図14は本発明を適用したデジタルカメラを背面側よりみた外観斜視図であり、後述する開閉パネルが開いた状態を示している。
【００７３】
図15は図14における断面指示Ｃ−Ｃに従った縦断面図で、開閉パネルが開いて画像表示用液晶パネル５が照明された状態を示す図である。
【００７４】
図16は同縦断面図で、開閉パネルが閉じていて情報表示用液晶パネル４が照明された状態を示す図である。
【００７５】
40は開閉パネル、41はヒンジ軸で、前記開閉パネル40はヒンジ軸41を回転中心として開閉可能にカメラ本体１に保持されている。開閉パネル40には背面側に情報表示用液晶パネル４、前方側に画像表示用液晶パネル５を備えている。
【００７６】
第1実施例と同様に反射笠17は回動可能に保持されており、90度回転位置を変更して、反射笠の開口部の向きによって光の照射方向が決定されるように構成されている。
【００７７】
図15に示すように開閉パネル40を開いた位置では、反射笠17はカメラ上方へ開口を向けた位置になり、光源16からの照射光は上方へ集光され、導光板18へ入射してくさび形状の効果により画像表示用液晶パネル５を裏面より照明可能な状態となる。
【００７８】
一方、図16に示すように開閉パネル40を閉じた位置では、反射笠17はカメラ後方へ開口を向けた位置になり、光源16からの照射光はそのまま情報表示用液晶パネル４を裏面より照明可能な状態となる。
【００７９】
開閉パネル40の開閉動作に連動して反射笠17が回転する事に関しては、開閉パネル40と反射笠17がメカ的にギア等によって連結されたものに限らず、開閉パネル40の位置を検出するスイッチの状態変化からモーター等の別駆動源より回転されるといった電気信号を介在した連動であっても良い。
【００８０】
上記実施例では、開閉パネルに情報表示用液晶パネル４と画像表示用液晶パネル５の両方を備えたものについて説明したが、どちらか一方がカメラ本体側に配置されたものであっても良い。
【００８１】
このように、ヒンジ軸を回転中心として開閉可能なパネルに液晶表示器を備えた電子機器においては、開閉部パネルが開位置にある場合と閉位置にある場合との違いに応じて、照明すべき液晶表示器が自動的に選択されるので、電子機器のコストを安価に抑えながらも簡単な操作で常に見易い液晶表示器を観察することができる。
【図面の簡単な説明】
【００８２】
【図１】本発明を適用した第1実施例におけるデジタルカメラを背面側よりみた外観斜視図。
【図２】図１における断面指示Ａ−Ａに従った縦断面図で、画像表示用液晶パネル５が照明された状態を示す図。
【図３】図１における断面指示Ａ−Ａに従った縦断面図で、情報表示用液晶パネル４が照明された状態を示す図。
【図４】本発明を適用したデジタルカメラの基本構成を示すブロック図。
【図５】本発明を適用した第1実施例におけるデジタルカメラの基本構成に基づくフローチャート。
【図６】本発明を適用した第2実施例におけるデジタルカメラの縦断面図で、画像表示用液晶パネル５が照明された状態を示す図。
【図７】本発明を適用した第2実施例におけるデジタルカメラの縦断面図で、情報表示用液晶パネル４が照明された状態を示す図。
【図８】本発明を適用した第2実施例におけるデジタルカメラの縦断面図で、情報表示用液晶パネル４と画像表示用液晶パネル５の両方が照明された状態を示す図。
【図９】本発明を適用した第3実施例におけるデジタルカメラを背面側よりみた外観斜視図。
【図１０】図９における断面指示Ｂ−Ｂに従った縦断面図で、画像表示用液晶パネル５が照明された状態を示す図。
【図１１】図９における断面指示Ｂ−Ｂに従った縦断面図で、情報表示用液晶パネル４が照明された状態を示す図。
【図１２】本発明を適用した第3実施例におけるデジタルカメラのモードダイヤル説明図。
【図１３】本発明を適用した第4実施例におけるデジタルカメラの基本構成に基づくフローチャート。
【図１４】本発明を適用した第5実施例におけるデジタルカメラを背面側よりみた外観斜視図。
【図１５】図14における断面指示Ｃ−Ｃに従った縦断面図で、画像表示用液晶パネル５が照明された状態を示す図。
【図１６】図14における断面指示Ｃ−Ｃに従った縦断面図で、情報表示用液晶パネル４が照明された状態を示す図。
【符号の説明】
【００８３】
１  液晶表示装置付きデジタルカメラ
２  レリーズボタン
３  モードダイヤル
４  情報表示用液晶パネル
５  画像表示用液晶パネル
６  ファインダー接眼部
７  操作ボタン
８  切換え操作ツマミ
９  モード検出スイッチ
１１  撮像用レンズ
１２  撮像素子
１６  光源
１７  反射笠
１８  導光板
１９  導光板
２０  プリズム
３０  モードダイヤル
４０  開閉パネル
４１  ヒンジ軸
【図１】
2005173225.tif 000003
【図２】
2005173225.tif 000004
【図３】
2005173225.tif 000005
【図４】
2005173225.tif 000006
【図５】
2005173225.tif 000007
【図６】
2005173225.tif 000008
【図７】
2005173225.tif 000009
【図８】
2005173225.tif 000010
【図９】
2005173225.tif 000011
【図１０】
2005173225.tif 000012
【図１１】
2005173225.tif 000013
【図１２】
2005173225.tif 000014
【図１３】
2005173225.tif 000015
【図１４】
2005173225.tif 000016
【図１５】
2005173225.tif 000017
【図１６】
2005173225.tif 000018